(57)【要約】【課題】壁面に取り付けられたディスペンサ本体内に、液体の入ったパウチを簡単に装着することができるディスペンサを提供する。【解決手段】液体の入ったパウチ本体に該パウチ本体から外部へ液体を導くポンプノズルが一体的に取り付けられてなるパウチが交換式に取替え可能である、液体小出し用のディスペンサであり、設置面に固定され、前面側で開口した、各種の構成を収納するための収納体と、上記収納体の開口側を開閉するためのフロントカバーと、上記パウチを収納するためのパウチ収納ケースと、を有しており、上記パウチ収納ケースが、上記収納体に対して所定範囲で揺動可能にその下端側で枢支され、上記フロントカバーが開いた状態で、開口する上端が前方へ飛び出すように、傾斜した姿勢に保持され得る。【選択図】  図３
2004331115.tif 000002
【特許請求の範囲】
【請求項１】
液体の入ったパウチ本体に該パウチ本体から外部へ液体を導くポンプノズルが一体的に取り付けられてなるパウチが交換式に取替え可能である、液体小出し用のディスペンサにおいて、
設置面に固定され、前面側で開口した、各種の構成を収納するための収納体と、
上記収納体の開口側を開閉するためのフロントカバーと、
上記パウチを収納するためのパウチ収納ケースと、を有しており、
上記パウチ収納ケースが、その下端側で、上記収納体に対して所定範囲で揺動可能に枢支され、上記フロントカバーが開いた状態で、その上端が前方へ飛び出すように、傾斜した姿勢に保持され得ることを特徴とするディスペンサ。
【請求項２】
上記フロントカバーが、上記収納体に対して回動可能に枢支され、該収納体に対して略１８０°をなして開くことを特徴とする請求項１記載のディスペンサ。
【請求項３】
上記フロントカバーが、上記液体の吐出に際して、上記収納体内に収納された状態にあるパウチに取り付けられたポンプノズルに作用するように所定の押込み量で押し込まれる押込み部材を備えており、
上記フロントカバーの背面側に、上記押込み部材の押込みを規制すべく該押込み部材を係止する部材が取外し可能に装着されることで、該押込み部材の押し込み量が可変であることを特徴とする請求項１又は２に記載のディスペンサ。
【請求項４】
上記押込み部材の背面側にて、上記収納体に収納された状態にあるパウチに取り付けられたポンプノズルに直接に作用する押圧部材が、該ポンプノズルの種類に応じて取替え可能であることを特徴とする請求項３記載のディスペンサ。
【発明の詳細な説明】
【０００１】
【発明の属する技術分野】
本発明は、洗浄液や薬液等の液体を小出しするディスペンサに関する。
【０００２】
【従来の技術】
近年、洗浄液や薬液等の液体を小出しするディスペンサとして、液体の入ったパウチを交換可能とする１回使切りタイプ（ディスポーザブルタイプ）のものが広く使用されるようになってきた。かかるディスペンサでは、パウチが、壁面等の設置面に固定されたベース部材に着脱可能に取り付けられた若しくは一体的に形成されたパウチ収納用のケースの上方から装着され、ベース部材及び保持部材により保持されることが一般的であった（例えば特許文献１参照）。
【０００３】
【特許文献１】
特開２００１−１９２０７７号公報
【０００４】
【発明が解決しようとする課題】
しかしながら、特許文献１に開示されるようなディスペンサでは、パウチ収納用のケースが、ベース部材に対して回動可能に枢支されるものの、所定位置に固定されず、このため、パウチを装着する場合には、一方の手でケースを支持する必要があり、良好な作業性が確保されていなかった。
【０００５】
本発明は、上記技術的課題に鑑みてなされたもので、壁面等の設置面に対して固定されたディスペンサ本体にパウチを装着する上で良好な作業性を確保することができるディスペンサを提供することを目的とする。
【０００６】
【課題を解決するための手段】
本願の請求項１に係る発明は、液体の入ったパウチ本体に該パウチ本体から外部へ液体を導くポンプノズルが一体的に取り付けられてなるパウチが交換式に取替え可能である、液体小出し用のディスペンサにおいて、設置面に固定され、前面側で開口した、各種の構成を収納するための収納体と、該収納体の開口側を開閉するためのフロントカバーと、上記パウチを収納するためのパウチ収納ケースと、を有しており、該パウチ収納ケースが、その下端側で、上記収納体に対して所定範囲で揺動可能に枢支され、上記フロントカバーが開いた状態で、その上端が前方へ飛び出すように、傾斜した姿勢に保持され得ることを特徴としたものである。
【０００７】
また、本願の請求項２に係る発明は、請求項１に係る発明において、上記フロントカバーが、上記収納体に対して回動可能に枢支され、該収納体に対して略１８０°をなして開くことを特徴としたものである。
【０００８】
更に、本願の請求項３に係る発明は、請求項１又は２に係る発明において、上記フロントカバーが、上記液体の吐出に際して、上記収納体内に収納された状態にあるパウチに取り付けられたポンプノズルに作用するように所定の押込み量で押し込まれる押込み部材を備えており、上記フロントカバーの背面側に、上記押込み部材の押込みを規制すべく該押込み部材を係止する部材が取外し可能に装着されることで、該押込み部材の押し込み量が可変であることを特徴としたものである。
【０００９】
また、更に、本願の請求項４に係る発明は、請求項３に係る発明において、上記押込み部材の背面側にて、上記収納体に収納された状態にあるパウチに取り付けられたポンプノズルに直接に作用する押圧部材が、該ポンプノズルの種類に応じて取替え可能であることを特徴としたものである。
【００１０】
【発明の実施の形態】
以下、本発明の実施の形態について、添付図面を参照しながら説明する。
図１は、本発明の実施の形態に係るディスペンサの前面側を示す斜視図である。また、図２の（ａ）〜（ｃ）は、それぞれ、ディスペンサの正面図，側面図，背面図である。このディスペンサ１は、上下方向に延びる細長の外形をなす筐体２を有しており、筐体２は、洗浄液，薬液等の液体の入ったパウチ１０（図３参照）等の各種構成要素を収納すべく、前面側で開口する収納体３と、収納体３に対してその前面側を開閉するように取り付けられるフロントカバー４とから構成されている。収納体３及びフロントカバー４は、軸受け部３３及びフランジ４３ａ等の連結構造により互いに下端で連結されている。フロントカバー４は、本体の幅方向に沿って規定される軸Ｃ０まわりに回動可能であり、その回動によって、壁面等の設置面に固定された収納体３の開口側を開閉することできる。なお、収納体３及びフロントカバー４における連結構造については、各構成を示す図４及び図６を参照しながら詳細に説明する。
【００１１】
また、フロントカバー４の下端近傍には、押込み部材５がディスペンサ１の前面側から押込み可能に取り付けられている。このディスペンサ１は手押し式のもので、ここでは、ユーザが前面側から押込み部材５を押し込む力が、筐体２内に装着されたパウチ１０に連通するポンプノズル１１（図３参照）に作用して、液体が吐出される。また、このディスペンサ１では、押込み部材５の上側に設けられた小窓６を通じて、パウチ１０内の液体の残量が視認可能である。
【００１２】
かかるディスペンサ１を壁面等の設置面に対して取り付けるには、取付け用プレートをそれが設置面に対して動かないように固定し、次に、ディスペンサ１を、その取付け用プレートに対して収納体３の背面側で掛止させる。図２の（ｃ）は、設置面に固定された取付け用プレート７に対して掛止された収納体３を設置面側からみた図である。この図から分かるように、取付け用プレート７には、プレート本体を引っ掛けるために、設置面に予め締め付けられた丸小ネジ等のネジ部材のヘッド部を受ける複数（ここでは３つ）の引掛け孔８と、ディスペンサ１を保持するために、プレート左右の側部に沿って形成され、ディスペンサ１側の爪部を受ける複数（ここでは各側部にて２つずつ）の受け部９とが設けられている。
また、特に図示しないが、収納体３の背面には、取付け用プレート７側の引掛け孔８に対応する部位に、ネジ部材のヘッド部をディスペンサ内方へ逃がす窪みが設けられ、また、取付け用プレート７側の受け部９に対応する部位には、各受け部９に引っ掛かる引掛け爪が設けられている。
【００１３】
このディスペンサ１では、液体の入った本体に、その本体から外部へ液体を導くポンプノズル１１が一体的に取り付けられてなるパウチ１０が交換式に取替え可能であり、必要に応じて、パウチ１０が交換される。図３の（ａ）〜（ｃ）は、収納体３に対してパウチ１０を装着する手順を示す説明図である。まず、図３の（ａ）には、パウチ１０の装着に際して、フロントカバー４が開かれた状態が示されている。パウチ１０には、その前方下端側に、ポンプを備えたポンプノズル１１が取り付けられている。この実施の形態１では、パウチとして、液体をそのまま液状で吐出するリキッド吐出用のポンプノズル１１が一体的に取り付けられたものが採用されている。なお、かかるリキッド吐出タイプに対して、液体を泡状にして吐出するフォーム吐出用のポンプノズルが一体的に取り付けられたパウチが採用されるタイプにつては、図１０〜１３を参照しながら説明する。
【００１４】
フロントカバー４は、壁面に固定された収納体３に対してほぼ１８０°をなして開く。収納体３には、パウチ１０を収納するパウチ収納ケース２０が所定範囲で揺動可能に取り付けられている。このパウチ収納ケース２０は、ポンプノズル１１が一体的に取り付けられたパウチ１０を受け入れる形状を有しており、フロントカバー４が開かれた状態で、開口する上端が前方へ出るように傾斜した姿勢に保持される。パウチ１０は、かかるパウチ収納ケース２０の上方から差し込まれ収納される。なお、収納体３，パウチ収納ケース２０及びフロントカバー４の詳細については、それぞれ、図４，５及び６を参照して後述する。
【００１５】
次に、図３の（ｂ）には、前方に傾斜したパウチ収納ケース２０に対してパウチ１０が収納された状態を示す。収納体３に対するパウチ収納ケース２０の揺動は所定範囲に規制されており、パウチ１０が図３の（ａ）に示す状態からパウチ収納ケース２０に収納された後も、パウチ収納ケース２０は、依然として、前方へ傾斜した状態に保持される。
【００１６】
更に、図３の（ｃ）には、パウチ１０が収納されたパウチ収納ケース２０が、収納体３内に収められた状態を示す。この状態では、パウチ１０が収納されたパウチ収納ケース２０が収納体３内部でほぼ鉛直方向に沿って保持される。かかる状態から、フロントカバー４を、収納体３の開口側を閉じるように回動させ、更に、収納体３側に押し付けると、フロントカバー４の上端に設けられた爪部４１が、収納体３の上端に設けられた爪受け孔３６に係合し、これにより、フロントカバー４が収納体３に対して固定される。以上で、パウチ１０の装着が完了し、ディスペンサ１が使用可能になる。
【００１７】
図４及び図５は、それぞれ、収納体３及びパウチ収納ケース２０の斜視図である。収納体３の下側面の前端部には、収納体３の幅方向に配列し、所定間隔をおいて対向する一対の円形状貫通孔３４が設けられている。これに対応して、パウチ収納ケース２０の下端には、略前方下方へ延びる一対の舌片部２４が設けられ、各舌片部２４の先端には、左右外方へ突出する円柱状の軸部２４ａが形成されている。各軸部２４ａは、それぞれ、収納体３に設けられた貫通孔３４内に適合する形状を有している。収納体３に対するパウチ収納ケース２０の取付けに際しては、パウチ収納ケース２０側の両方の舌片部２４を左右内方へ撓ませ、軸部２４ａを幅方向の内方から貫通孔３４内に適合させる。これにより、パウチ収納ケース２０は、収納体３に対して、軸部２４ａ及び貫通孔３４により規定される軸Ｃ１まわりに回動可能に枢支される。
【００１８】
また、収納体３の左右両側の内壁に沿って、奥壁から前方へ前後方向に延びるリブ３１が設けられている。そして、各リブ３１の前方端部には、収納体３の左右内方へ突出する突起部３２が設けられている。これに対応して、パウチ収納ケース２０の左右の外側面には、湾曲したガイド経路２２を形成する壁２１が設けられている。ガイド経路２２は、軸部２４ａ及び貫通孔３４により規定される軸Ｃ１を中心とした円弧状をなすように湾曲している。このガイド経路２２内には、収納体３に対するパウチ１０の取付け状態で、収納体３側の突起部３２が収まり、これにより、パウチ収納ケース２０が収納体３に対して揺動する範囲が規制される。すなわち、パウチ収納ケース２０が収納体３内に収まった状態では、突起部３２が、ガイド経路２２内で、パウチ収納ケース２０の最も前方側に位置し、他方、パウチ１０の装着時に、パウチ収納ケース２０が収納体３に対して傾斜した状態では、突起部３２が、ガイド経路２２内で、パウチ収納ケース２０の最も後方側に位置する。なお、壁２１は、ガイド経路２２がパウチ収納ケース２０の後方側の一部で、収納体３に対するパウチ１０の取付けに際して突起部３２をガイド経路２２内に導くための開口２１ａをなすように形成されている。
【００１９】
また、図５に示すように、パウチ収納ケース２０の前面には、パウチ１０に取り付けられ前方へ飛び出るポンプノズル１１に対応して、パウチ１０の装着時にポンプノズル１１を通過させるための切欠き部２３が形成されている。更に、切欠き部２３の下端側には、パウチ１０に取り付けられたポンプノズル１１を保持するための略Ｕ字状のポンプ受け部２６が設けられている。ポンプ受け部２６の下側面には、パウチ１０の装着時にポンプノズル１１の下端部を挿通させる貫通孔２６ａが形成されている。
更に、図４に示すように、収納体３の左右側面の前方下端には、収納体３に対するフロントカバー４の取付け用に、一対の軸受け部３３が、収納体３の幅方向に配列するように設けられている。各軸受け部３３は、フロントカバー４（図６参照）側に設けられる軸部４３を回転自在に保持することができる。
【００２０】
図６は、フロントカバー４の後方側を示す斜視図である。なお、この図６では、左上がフロントカバー４の前方にあたり、右下がフロントカバー４の後方にあたる。収納体３側に設けられた軸受け部３３に対応して、フロントカバー４の後方下端から斜め下方へ一対のアーム４２が設けられ、各アーム４２の先端には、フロントカバー４の幅方向に配列し左右外方へ延びる軸部４３が形成されている。フロントカバー４は、これらの軸部４３が、それぞれ、収納体３側の各軸受け部３３に係合させられることにより、収納体３に対して回動可能に枢支されることとなる。各軸部４３の先端には、フランジ４３ａが形成されており、このフランジ４３ａにより、軸受け部３３が左右外方へ移動して軸部４３から外れることが防止される。
【００２１】
また、フロントカバー４には、液体の吐出に際して、収納体３内に収納されるパウチ１０に取り付けられたポンプノズル１１に作用するように所定の押込み量で押し込まれる押込み部材５が取り付けられている。この押込み部材５は、左右両側で上方へ延びる一対のアーム５３の先端に、それぞれ、フロントカバー４の幅方向に配列し左右内方へ延びる軸５３ａが、フロントカバー４の本体側に設けられた軸受け部４６に係合させられることにより、フロントカバー４に対して揺動可能に枢支されている。更に、押込み部材５の上端に設けられたバネ固定部５２には、その上端がフロントカバー４の本体側に係止させられた細長の板バネ５１が、その下端でネジ部材５９（図９参照）を用いて固定されている。押込み部材５は、液体の吐出に際して押し込まれた後、板バネ５１の弾性力により元の位置に戻される。
【００２２】
また、押込み部材５の小窓６の下側には、フロントカバー４の後方側に突出する突出部６１を備えた押圧部材６０が、押込み部材５側に設けられた係止爪５４等により取外し可能に組み付けられている。押込み部材５が押し込まれた場合には、フロントカバー４の後方側で、押圧部材６０の突出部６１がポンプノズル１１に直接に作用する、すなわち、ポンプノズル１１のポンプボタン１２ａ（図９参照）に接してそれを押し込むことで、液体が吐出される。
なお、押込み部材５に対する押圧部材６０の組付け構造については、図７を参照しながら後述する。
【００２３】
更に、押込み部材５の下端には、収納体３に対してフロントカバー４が取り付けられた状態で、液体を吐出するポンプノズル１１の下端部を下方へ通過させるための切欠き部５６が形成されている。
【００２４】
フロントカバー４の後方側には、押込み部材５の左右両側で、フロントカバー４の後方へ延びる押込み規制部材４４が設けられている。この押込み規制部材４４の先端には、左右内方へ突出して押込み部材５の押込みを規制するための規制部４５が設けられている。押し込まれた押込み部材５は、その側縁部５７が規制部４５に当接し係止されることで、それ以上の押込みを制限される。
【００２５】
続いて、図７を参照しながら、押込み部材５に対する押圧部材６０の組付け構造について説明する。図７の（ａ）及び（ｂ）は、それぞれ、押込み部材５に対する押圧部材６０の組付け前及び組付け後の斜視図である。前述したように、押込み部材５には押圧部材６０が取外し可能に組み付けられるが、このため、本実施の形態１では、押込み部材５の後方側に、係止爪５４及び位置合わせ用の突起部５５が形成されている。これに対応して、突出部６１を備えた押圧部材６０には、押込み部材５側の係止爪５４が係合する切欠き部６２と、突起部５５が適合する溝部６５とを有している。押込み部材５に対する押圧部材６０の取付けに際しては、切欠き部６２を係止爪５４に対応させ、また、溝部６５を突起部５５に対応させつつ、押込み部材５に対して押圧部材６０を押し付ける。これにより、突起部５５は溝部６５に適合し、係止爪５４は切欠き部６２に係合することで、押圧部材６０は、押込み部材５の後方側で、所定位置にて動かないように保持される。
【００２６】
ところで、押込み部材５の押込み量は、ポンプノズル１１の押込み量、すなわち１回の押込み動作による液体の吐出量に直接に関係するもので、押込み量を調整することにより、液体の吐出量を可変とすることができる。この実施の形態では、押込み規制部材４４の規制部４５に対して、押込み量を調整するための押込み量調整チップが取外し可能に装着されるようになっている。図８の（ａ）に、押込み部材５の側部に設けられた押込み規制部材４４を拡大して示し、図８の（ｂ）に、押込み量調整チップを示し、また、図８の（ｃ）には、押込み量調整チップがその先端側に装着された押込み規制部材４４を拡大して示す。
【００２７】
押込み量調整チップ８０は、貫通孔８１ａを備えた環状部８１と、環状部８１から外方へ突出する突出部８２とを有しており、押込み規制部材４４に対して、図８の（ｃ）に示すように、突出部８２が押込み部材５の側縁部５７へ指向するように、規制部４５がその貫通孔８１ａに嵌挿されることで装着される。押込み量調整チップ８０が装着された場合には、押込み部材５は、その側縁部５７が突出部８２に当接し係止されることにより、それ以上の押込みを制限される。この場合には、それが装着されない場合と比較して、押込み部材５の押込み量、すなわち１回の押込み動作による液体の吐出量がより少なくなる。
【００２８】
かかる構成によれば、突出部８２の長さの異なる複数の押込み量調整チップ８０を用意し、押込み量調整チップ８０に取り替えることにより、各種の液体に応じた適切な押込み量を実現することができ、また、押込み部材５の押込み量が、フロントカバー４側に装着される押込み量調整チップ８０のみで調整可能であるため、適切な押込み量を容易に実現することができる。更に、かかる構成によれば、製品テスト時に、フロントカバー４単独で押込み量のテストが可能である。
【００２９】
図９は、図１中のＡ−Ａ線に沿ったディスペンサ１の縦断面説明図である。なお、この図９では、ポンプノズル１１等の一部の構成については断面で示さない。パウチ１０の前方下端には、ポンプノズル１１をパウチ１０の本体に対して接続するための取付け部材１０ａが固定されている。取付け部材１０ａに対してポンプノズル１１の上端部を嵌挿させることにより、両者は液密に接続する。
【００３０】
ポンプノズル１１の途中部におけるポンプ１２は、前方に突出するポンプボタン１２ａを有している。このポンプボタン１２ａは、押込み部材５側に取り付けられた押圧部材６０の突出部６１と対向しており、押込み部材５が押し込まれると同時に押し込まれ、パウチ１０からポンプノズル１１を通じた液体の吐出を可能とする。
【００３１】
以上説明したように、このディスペンサ１では、上端側で開口するパウチ収納ケース２０が、収納体３に対して所定範囲で揺動可能にその下端側で枢支され、フロントカバー４が開いた状態で、その上端が前方へ飛び出すように、傾斜した姿勢に保持され得るため、パウチ１０の取替えに際し、パウチ収納ケース２０に対するパウチ１０の収納の作業性が良好であり、パウチ１０を簡単に装着することができる。また、このディスペンサ１では、フロントカバー４が、設置面に対して固定された収納体３に対して略１８０°をなして開くため、パウチ１０の収納作業時に、フロントカバー４が邪魔になることはなく、一層良好な作業性が実現される。
【００３２】
次に、本発明の他の実施の形態について説明する。なお、以下では、上記実施の形態１における場合と同じものについては同一の符号を付し、それ以上の説明を省略する。
実施の形態２．
前述した実施の形態１では、必要に応じて取替え可能なパウチとして、液体をそのまま液状で吐出するリキッド吐出タイプのポンプノズルが取り付けられたものが採用されたが、この実施の形態２では、液体を泡状で吐出するフォーム吐出タイプが採用される。図１０は、フォーム吐出タイプのポンプノズルが一体的に構成されてなるパウチが装着された、本発明の実施の形態２に係るディスペンサ１０１を示す図である。このパウチ１１０には、その前方下端側に、液体を泡状で吐出するフォーム吐出用のポンプノズル１１１が一体的に取り付けられている。ここで、収納体３及びフロントカバー４は、上記実施の形態１における場合と同じものであり、収納体３に取り付けられるパウチ収納ケースとしては、パウチ１１０に対応するために上記実施の形態１における場合とは異なるものが用いられる。
【００３３】
図１１は、パウチ収納ケース１２０の斜視図である。このパウチ収納ケース１２０は、フォーム吐出用のポンプノズル１１１を備えたパウチ１１０を収納可能な形状を有しており、パウチ収納ケース１２０の前面には、パウチ１１０に取り付けられ前方へ飛び出るポンプノズル１１１に対応して、パウチ１１０の装着時にポンプノズル１１を通過させるための切欠き部１２３が形成されている。更に、切欠き部１２３の下端側には、パウチ１１０に取り付けられたポンプノズル１１１を支持するためのポンプ支持部材１２６が取り付けられている。
なお、収納体３に対するパウチ収納ケース１２０の取付け構造については、上記実施の形態１における場合と同様である。
【００３４】
また、この実施の形態２では、パウチ１１０に取り付けられるフォーム吐出用のポンプノズル１１１に対応するために、フロントカバー４側の押込み部材５に組み付けられる押圧部材として、上記実施の形態１における場合とは異なるものが用いられる。図１２を参照しながら、フロントカバー４に取り付けられる押込み部材５に対する押圧部材７０の組付け構造について説明する。図１２の（ａ）及び（ｂ）は、それぞれ、押込み部材５に対する押圧部材７０の組付け前及び組付け後の斜視図である。押込み部材５には、前述したような係止爪５４及び突起部５５に加えて、左右両側の内壁にて略水平方向に延びるガイドレール５８が設けられている。
【００３５】
これに対応して、押圧部材７０は、押込み部材５側の係止爪５４が係合する切欠き部７２と、突起部５５が適合する溝部７５とを有するとともに、押込み部材５側のガイドレール５８に係合する一対のアーム７３を有している。押込み部材５に対する押圧部材７０の取付けに際しては、切欠き部７２を係止爪５４に対応させ、また、溝部７５を突起部５５に対応させつつ、押込み部材５に対して押圧部材７０を押し付ける。これにより、突起部５５は溝部７５に適合し、係止爪５４は切欠き部７２に係合することで、押圧部材７０は、押込み部材５の後方側で、所定位置にて動かないように保持されることとなる。
【００３６】
また、押圧部材７０は、フロントカバー４の後方側に突出する突出片７１を有している。押込み部材５が押し込まれた場合には、突出片７１が、フロントカバー４の後方側で、パウチ１１０側のポンプノズル１１１に直接に作用する、すなわち、ポンプノズル１１１のポンプボタン１１２ａ（図１３参照）に接してそれを押し込むことで、液体が吐出される。
【００３７】
図１３は、この実施の形態２に係るディスペンサ１０１の縦断面説明図である。パウチ１１０の前方下端には、ポンプノズル１１１をパウチ１１０の本体に対して接続するための取付け部材１１０ａが固定されている。取付け部材１１０ａに対してポンプノズル１１１の一端部１１３を嵌挿させることにより、両者は液密に接続する。ポンプノズル１１１の途中部におけるポンプ１１２は、前方に突出するポンプボタン１１２ａを有している。このポンプボタン１１２ａは、押込み部材５側に取り付けられた押圧部材７０の突出片７１と対向しており、押込み部材５が押し込まれると同時に押し込まれ、パウチ１１０からポンプノズル１１１を通じた液体の吐出を可能とする。
【００３８】
この実施の形態２では、パウチとして、フォーム吐出用のポンプノズルを備えたパウチ１１０が採用されるが、上記実施の形態１における場合と同様に、フロントカバー４が開いた状態で、パウチ１１０を収納するパウチ収納ケース１２０が、その上端が前方へ飛び出すように傾斜した姿勢に保持されるため、設置面に固定されたディスペンサ１０１の本体（厳密には収納体３）に、パウチ１１０を簡単に収納することができる。
【００３９】
上記実施の形態１及び２から分かるように、押込み部材５の背面側で、収納体３に収納された状態にあるパウチに取り付けられたポンプノズルに直接に作用する押圧部材が、ポンプノズルの種類に応じて取替え可能であるため、リキッド吐出用のポンプノズルを備えたパウチとフォーム吐出用のポンプノズルを備えたパウチとの切替えに際しては、フロントカバー４全体を取り替える必要がない。より詳しくは、かかる切替えに際し、収納体３及びフロントカバー４の取替えが必要なく、パウチ収納ケース及び押圧部材の取替えのみで対応可能であり、比較的容易でかつ少ない部品点数で切替えを行うことができる。
【００４０】
なお、本発明は、例示された実施の形態に限定されるものでなく、本発明の要旨を逸脱しない範囲において、種々の改良及び設計上の変更が可能であることは言うまでもない。
【００４１】
【発明の効果】
本願の請求項１に係る発明によれば、パウチ収納ケースが、その下端側で、上記収納体に対して所定範囲で揺動可能に枢支され、上記フロントカバーが開いた状態で、その上端が前方へ飛び出すように、傾斜した姿勢に保持され得るので、パウチの取替えに際し、パウチ収納ケースに対するパウチの収納の作業性が良好であり、パウチを簡単に装着することができる。
【００４２】
また、本願の請求項２に係る発明によれば、フロントカバーが、上記収納体に対して回動可能に枢支され、該収納体に対して略１８０°をなして開くので、パウチの収納作業時に、フロントカバーが邪魔になることはなく、一層良好な作業性が実現される。
【００４３】
更に、本願の請求項３に係る発明によれば、フロントカバーの背面側に、上記押込み部材の押込みを規制すべく該押込み部材を係止する部材が取外し可能に装着されることで、該押込み部材の押し込み量が可変であるので、各種の液体に応じた適切な押込み量を実現することができ、また、押込み部材の押込み量が、フロントカバー側で調整可能であるため、適切な押込み量を容易に実現することができ、更に、この場合には、製品テスト時に、フロントカバー単独で押込み量のテストが可能である。
【００４４】
また、更に、本願の請求項４に係る発明によれば、押込み部材の背面側にて、上記収納体に収納された状態にあるパウチに取り付けられたポンプノズルに直接に作用する押圧部材が、ポンプノズルの種類に応じて取替え可能であるので、リキッド吐出用のポンプノズルを備えたパウチとフォーム吐出用のポンプノズルを備えたパウチとの切替えを、フロントカバー４全体を取り替える必要なしに、比較的容易でかつ少ない取替え部品点数で行うことができる。
【図面の簡単な説明】
【図１】本発明の実施の形態１に係るディスペンサの斜視図である。
【図２】（ａ）上記ディスペンサの正面図である。
（ｂ）上記ディスペンサの側面図である。
（ｃ）上記ディスペンサの背面図である。
【図３】上記ディスペンサに対して、リキッド吐出タイプのポンプノズルが一体的に構成されてなるパウチが装着される手順を示す図である。
【図４】上記ディスペンサの筐体を構成する収納体の斜視図である。
【図５】上記リキッド吐出タイプのポンプノズルが一体的に構成されてなるパウチに対応して、上記収納体に取り付けられるパウチ収納ケースの斜視図である。
【図６】上記ディスペンサの筐体を構成するフロントカバーの斜視図である。
【図７】（ａ）上記フロントカバーに取り付けられた押込み部材に対する押圧部材の組付け前の斜視図である。
（ｂ）上記フロントカバーに取り付けられた押込み部材に対する押圧部材の組付け後の斜視図である。
【図８】（ａ）上記フロントカバー側で、押込み部材の側部に設けられた押込み規制部材を拡大して示す斜視図である。
（ｂ）押込み量調整チップの斜視図である。
（ｃ）上記押込み量調整チップが取り付けられた押込み規制部材を拡大して示す斜視図である。
【図９】図１中のＡ−Ａ線に沿った上記ディスペンサの縦断面説明図である。
【図１０】フォーム吐出タイプのポンプノズルが一体的に構成されてなるパウチが装着されるパウチが取り付けられた、本発明の実施の形態２に係るディスペンサを示す図である。
【図１１】上記フォーム吐出タイプのポンプノズルが一体的に構成されてなるパウチに対応して、上記収納体に取り付けられるパウチ収納ケースの斜視図である。
【図１２】（ａ）上記フォーム吐出タイプのポンプノズルが一体的に構成されてなるパウチに対応して、上記フロントカバーに取り付けられた押込み部材に対する押圧部材の組付け前の斜視図である。
（ｂ）上記フロントカバーに取り付けられた押込み部材に対する押圧部材の組付け後の斜視図である。
【図１３】上記実施の形態２に係る手押しディスペンサの縦断面説明図である。
【符号の説明】
１…手押しディスペンサ
３…収納体
４…フロントカバー
５…押込み部材
７…取付け用プレート
１０…パウチ
１１…ポンプノズル
１２…ポンプ
２０…パウチ収納ケース
２１…壁
２２…ガイド経路
２４ａ…軸部
３２…突起部
３３…軸受け部
３４…貫通孔
４３…軸部
４３ａ…フランジ
４４…押込み規制部材
４５…規制部
６０…押圧部材
６１…突出部
８０…押込み量調整チップ
【図１】
2004331115.tif 000003
【図２】
2004331115.tif 000004
【図３】
2004331115.tif 000005
【図４】
2004331115.tif 000006
【図５】
2004331115.tif 000007
【図６】
2004331115.tif 000008
【図７】
2004331115.tif 000009
【図８】
2004331115.tif 000010
【図９】
2004331115.tif 000011
【図１０】
2004331115.tif 000012
【図１１】
2004331115.tif 000013
【図１２】
2004331115.tif 000014
【図１３】
2004331115.tif 000015